Podtech/llm-jp-corpus-v4-ja_patent huggingface dataset:
(57)【要約】【課題】デュオカード及びメモリースチックカード兼用コネクタにおいて設置スペースが少ない構造を提供することを目的とする。【解決手段】コネクタの開口形状をメモリースチック（８）の断面と概略同じとし、上面にトップカバー（１７）を設け、奥側にメモリースチック（８）のコンタクトＭ（２０）を設け左右に有るガイド側の一方に３本の板バネ、ガイドバネ（１０）上バネ（１１）下バネ（１２）から成る可動ガイド（１３）を設け、デュオカードのコンタクトＤ（２１）を入り口から奥えと立ち上がる形状で設け、  コネクタ（１）の入り口部（２）に回転軸（３）を下にして回転ドア（４）を設け、デュオカード（６）のスロットガイド（７）の片側をメモリースチック（８）のスロットガイドの上面の左右のどちらかに設け、内部に回転カム（９）を設け、デュオカード（６）のコンタクトをソルダーテール部に繋がるコンタクトＤＡ（１８）と接触圧を保証するコンタクトＤＢ（１９）を組み合る。以上を特徴とする。【選択図】  図１
2005158666.tif 000002
【特許請求の範囲】
【請求項１】
コネクタの開口形状をメモリースチック（８）の断面と概略同じとし、上面にトップカバー（１７）を設け、奥側にメモリースチック（８）のコンタクトＭ（２０）を設け左右に有るガイド側の一方に３本の板バネ、ガイドバネ（１０）上バネ（１１）下バネ（１２）から成る可動ガイド（１３）を設け、デュオカードのコンタクトＤ（２１）を入り口から奥えと立ち上がる形状で設け、
コネクタ（１）の入り口部（２）に回転軸（３）を下にして回転ドア（４）を設け、デュオカード（６）のデュオスロットガイド（７）の片側をメモリースチック（８）のスロットガイドの上面の左右のどちらかに設け、内部に回転カム（９）を設え、デュオカード（６）のコンタクトをソルダーテール部に繋がるコンタクトＤＡ（１８）と接触圧を保証するコンタクトＤＢ（１９）を組み合わせて設ける
以上の構成のデュオカード及びメモリースチックカード兼用コネクタ
【請求項２】
メモリースチック（８）のコンタクトＭ（２０）のソルダーテール部Ｍ（１４）とデュオカード（６）のコンタクトＤ（２１）のソルダーテール部Ｄ（１５）をソルダーテール部でどちらか一方のテール部を他のテールの内側に設けた請求項１のデュオカード及びメモリースチック兼用コネクタ
【請求項３】
トップカバー（１７）の中間にデュオカード（６）がいきすぎないためにストッパ（１６）を設けた請求項１又は請求項２のデュオカード及びメモリースチック兼用コネクタ
【発明の詳細な説明】
【技術分野】
【０００１】この発明は、ソニーが中心となり進めているデュオカード及びメモリーカード両者を利用できるコネクタに関する発明である。
【背景技術】
【０００２】従来、デュオカード及びメモリースチックカードを兼用できる小型で薄いコネクタは無かった。
【発明の開示】
【発明が解決しようとする課題】
【０００３】そのために、次のような問題があった。
これら２種類のカードを搭載できるコネクターは大きすぎるため最近の小型機器には採用できず、この電子機器の可能性を狭めていた。
本発明は、この小型化の問題を解決するためになされたものである。
【課題を解決するための手段】
【０００４】デュオカードの上面をメモリースチックの上面に一致させ、例えば左側にデュオカード用のガイドを一部設け、デュオカードのスロット内に判別のための回転カムを設け、メモリースチックのガイドの片側に可動するガイドを設け、このコネクタの入り口部には回転式のドアを軸を下にして設ける。
【発明の効果】
【０００５】ほぼメモリースチックの断面積以内にデュオカードをガイドし導くことができるためもっとも小さな断面寸法にすることができ、高さも低く抑えられる。
【発明を実施するための最良の形態】
【０００６】以下、本発明の実施の形態について説明する。
（イ）コネクタ（１）の入り口部（２）に回転軸（３）を下にして回転ドア（４）を設ける
（ロ）デュオカード（６）のデュオスロットガイド（７）の片側をメモリースチック（８）のスロットガイドの上面の左右のどちらかに設け、内部に回転カム（９）を設ける
（ハ）デュオカード（６）のガイドの無いメモリースチックのガイド側に３本の板バネ、ガイドバネ（１０）上バネ（１１）下バネ（１２）から成る可動ガイド（１３）を設ける
（ニ）メモリースチック（８）のコンタクトＭ（２０）のソルダーテール部Ｍ（１４）とデュオカード（６）のコンタクトＤ（２１）のソルダーテール部Ｄ（１５）をソルダーテール部でどちらか一方のテール部を他のテールの内側に設ける
（ホ）デュオカード（６）のコンタクトをソルダーテール部に繋がるコンタクトＤＡ（１８）と接触圧を保証するコンタクトＤＢ（１９）を組み合わせて設ける
（ヘ）トップカバーの中間にデュオカードがいきすぎないためにストッパ（１６）を設ける
本発明は以上の構成で、これを使用するときは、メモリースチック（８）を挿入する時は回転ドア（４）を完全に下まで開き、これに伴い可動ガイド（１３）の上バネ（１１）下バネ（１２）が各上下方向に後退し、回転カム（９）は回転ドア（４）によりデュオカードのスロットガイド（７）の中で立ち上がり、メモリスチック（８）がさらに内部に挿入されると回転カム（９）がメモリースチック（８）がスロットガイド（７）の内に進入することを防ぎ、ガイドバネ（１０）はメモリスチックの側面壁によりコネクタの壁側に後退し、更にカードが進入するとストッパ（１６）がトッパカバーの同一面に後退し、最終的にメモリースチック（８）のコンタクトと接触し動作状態となる。デュオカード（６）が挿入される場合は回転ドア（４）は途中まで開き、可動ガイド（１３）を構成する３種類のバネは固定された状態を保ち、デュオカード（６）のスロットガイド（７）の内に有る回転カム（９）は隠れた状態にありこの中を内部に移動することを可能とする、更にデュオカードを挿入すると固定された可動ガイド（１３）の板バネによりデュオカードの正規の軌道に導かれ、更に進入すると二枚に組合わさったコンタクトの接点部にデュオカードの接点部が接触し、ストッパ（１６）に当たり、動作状態となる。この際出力の都合で互いのテール部を内側に設る構造を用いなくてもよい。
【図面の簡単な説明】
【０００７】
【図１】本発明の透過平面図である。
【図２】本発明の入り口部の正面図である。
【図３】本発明の入り口部の断面図である。
【図４】本発明の透過右側面図である。
【図５】本発明の透過左側面図である。
【符号の説明】
【０００８】１コネクタ
２入り口部
３回転軸
４回転ドア
５コネクタ本体
６デュオカード
７デュオスロットガイド
８メモリースチック
９回転カム
１０ガイドバネ
１１上バネ
１２下バネ
１３可動ガイド
１４ソルダーテール部Ｍ
１５ソルだーテール部Ｄ
１６ストッパ
１７トップカバー
１８コンタクトＤＡ
１９コンタクトＤＢ
２０コンタクトＭ
２１コンタクトＤ
【図１】
2005158666.tif 000003
【図２】
2005158666.tif 000004
【図３】
2005158666.tif 000005
【図４】
2005158666.tif 000006
【図５】
2005158666.tif 000007
(57)【要約】      （修正有）【課題】建造物内の室温や湿度等の環境情報を不特定多数あるいは特定の利用者に提供する。【解決手段】観察対象となる建造物の任意の地点に気温や湿度を計測する住居環境センサーＡを設置し、指定した時間間隔でその値をデータ収集装置Ｂに取り込む。データ収集装置Ｂはデータを加工し、データベース・システムＣに蓄積する。情報提供システムＤは定期的にデータベース・システムＣのデータを取り出し、インターネット等の通信網を利用して契約者Ｅに提供する。契約者Ｅは、インターネット経由でデータベース・システムＣのデータをアクセスして、独自の分析を行なうこともできる。契約者以外の利用者も制限付きでデータベース・システムＣのデータをアクセスすることができる。同一のシステムが、データ収集装置Ｂ、データベース・システムＣ，情報提供システムＤのすべての機能を提供することも可能である。【選択図】図１
2005158003.tif 000002
【特許請求の範囲】
【請求項１】
住居環境に関する情報を計測し、収集したデータを加工・蓄積して配信する住居環境情報提供システム。アプリケーション部は、以下の機能を提供する。−  気温や室温等の住居環境情報を計測し、収集したデータを加工して蓄積する住居環境情報蓄積機能−  契約利用者の要求に合わせた蓄積データの帳票を作成し、住居環境情報報告書として電子メールなどの手段にて契約者に配信する住居環境情報配信機能−  住居環境が契約者が指定した条件に達した時に契約者に通知する住居環境通知機能−  契約利用者がインターネット等の通信網を経由して、指定する場所の気温・室温等の住居環境情報をリアルタイムにモニタできる住居環境監視機能−  住居環境情報データベース・システムに蓄積されたデータを、インターネット等の通信網を介して利用者が直接アクセスすることができる住居環境情報提供機能
【請求項２】
気温や室温等の住居環境情報を計測する住居環境センサーと計測データを収集・加工するためにセンサーと接続されているデータ収集装置、および加工したデータを蓄積する機能を実現する請求項１に記載の住居環境情報蓄積システム。
【請求項３】
データベースに蓄積された気温・室温等のデータから契約利用者の要求にあわせた帳票を作成し、ダウンロードや電子メールなどの手段にて住居環境情報報告書を配信する請求項１に記載の住居環境情報配信システム。
【請求項４】
気温・室温などの住居環境が契約利用者の指定した条件に達した時に、インターネット等の通信網を介して契約者に通知する請求項１に記載の住居環境通知システム。
【請求項５】
インターネット等の通信網を経由して、契約利用者が指定する場所の気温・室温等の住居環境情報をリアルタイムにモニタできる請求項１に記載の住居環境監視システム。
【請求項６】
住居環境情報データベース・システムに蓄積された住居環境に関するデータを、インターネット等の通信網を介して一般利用者および契約利用者が直接アクセスすることができる請求項１に記載の住居環境情報提供システム。
【発明の詳細な説明】
【発明の詳細な説明】
【技術分野】
【０００１】本発明は、温度や湿度などの居住環境情報を、インターネット等の通信網を介して、リアルタイムにかつ広域に提供する住居環境情報提供システムおよび住居環境情報提供方法に関するものである。
【背景技術】
【０００２】居住環境に関する情報を空調などの制御のために利用するシステムは存在するが、観測データを記録して利用したり、リアルタイムに広域に情報を提供するものではなかった。【０００３】また、工場など設備における気温・室温の監視システムは、品質管理の一環として特定の利用者の対して情報を発信するもので、広域に存在する不特定多数のユーザに情報を発信するというコンセプトは有していない。
【発明が解決しようとする課題】
【０００４】対象となる建造物内の室温・湿度の環境情報を、通信網を利用してリアルタイムに発信することで、現実のデータに基づいた住居環境情報を不特定多数あるいは特定の利用者に提供する
【課題を解決するための手段】
【０００５】観察対象となる建造物の任意の地点に住宅環境センサーＡを設置し、指定した時間間隔で温度や湿度等の観測値をデータ収集装置Ｂに取り込む。
【０００６】データ収集装置Ｂで収集したデータは、加工されデータベース・システムＣに蓄積する。
【０００７】情報提供システムＤは定期的にデータベース・システムＣのデータを取り出し、インターネット等の通信網を利用して契約者Ｅに提供する。
【０００８】契約者Ｅは、インターネット経由でデータベース・システムＣのデータをアクセスして、独自の分析を行なうこともできる。
【０００９】同一のシステムが、データ収集装置Ｂ、データベース・システムＣ，情報提供システムＤのすべての機能を提供することも可能である。
【発明を実施するための最良の形態】
【００１０】以下、本発明の実施の形態を説明する。図１は本発明の住居環境情報提供システム概念図である。【００１１】住居環境情報提供システムＹはインターネット通信網を介してアクセスできるデータベース・サーバとなっている。【００１２】温度や湿度の住居環境センサーＡは、ＵＳＢやＲＳ２３２Ｃなどの通信ケーブルによってデータ収集システムＢに接続されていて、指定した時間の間隔ごとに観測データが収集される。【００１３】収集されたデータは目的に合わせて加工され、データベース・システムＣに蓄積される。【００１４】契約に基づく利用者Ｅは、情報提供システムＤの認証機能により特定され、リアルタイムで住居環境に関する情報にアクセスすることができる。【００１５】契約に基づく利用者Ｅが住居環境の条件による通知サービスを希望する場合には、その条件に達した際に電子メールなどの連絡手段で契約者Ｅにそのことを通知する。【００１６】不特定多数の利用者もインターネット経由で、このサーバに蓄積された住居環境情報の一部をアクセスすることができる。
【発明の効果】
【００１７】この発明により、同時に複数の人が特定の住居環境をリアルタイムに監視・観察することができ、客観的なデータに基づく住居環境に関する議論をすることができるようになる。
【００１８】例えば住宅建築業者および一般消費者が、実際に人が住んでいる住宅の環境をリアルタイムに監視・観測することができ、自分達が建築しようとしている住宅の工法を比較・検討することができる。
【図面の簡単な説明】
【００１９】
【図１】は本発明に係るシステム概念図
【図２】は本発明に係るシステム構成図
【図３】は第１図の装置における情報処理手順を示すフローチャート
【図４】は住居環境情報データベースの構成
【図１】
2005158003.tif 000003
【図２】
2005158003.tif 000004
【図３】
2005158003.tif 000005
【図４】
2005158003.tif 000006
(57)【要約】  【課題】  一般的な家庭用照明器具に好適な導光棒による照明装置を提案する。  【解決手段】  複数の曲線状の導光棒１を光源部ケース２で連結して導光リング状とする。前記光源部ケース２には前記導光棒１の端部に光を導入する光源３を収めて前記導光棒１を発光可能とする。前記光源部ケース２を照明器具本体４からの支持部材５で支持するとともに、前記光源部ケース２内の光源３に給電可能としたリード線６を前記支持部材５に沿わせて配線する。また、前記導光リング状部は照明器具本体４の下面に設けたグローブ７の外周に配置している。【選択図】  図５
2005158496.tif 000002
【特許請求の範囲】
【請求項１】
下記要件(A)〜(C)を備えた照明装置。
(A) 複数の曲線状の導光棒を光源部ケースで連結して導光リング状とする。
(B) 前記光源部ケースには前記導光棒の端部に光を導入する光源を収めて前記導光棒を発光可能とする。
(C) 前記光源部ケースを照明器具本体からの支持部材で支持するとともに、前記光源部ケース内の光源に給電可能としたリード線を前記支持部材に沿わせて配線する。
【請求項２】
請求項１において、導光リング状部を照明器具本体の下面に設けたグローブの外周に配置した照明装置。
【発明の詳細な説明】
【技術分野】
【０００１】
本発明は、導光棒を用いた照明装置、殊に一般的な家庭用照明器具に目新しい光装飾効果をもたらす照明装置に関する。
【背景技術】
【０００２】
導光棒を用いた照明装置は特許文献１などで知られ、複数の直線状の導光棒を光源部ケースで連結して長い導光棒状とし、前記光源部ケースには前記導光棒の端部に光を導入する光源を収めて前記導光棒を発光可能としている。また、その用途としては橋の欄干などが開示されている。
【特許文献１】特開２０００−１１７０３号公報
【発明の開示】
【発明が解決しようとする課題】
【０００３】
しかし、導光棒による照明装置を一般的な家庭用照明器具に適用するに際してどのような構成が好ましいかどうかについての提案は未だ成されていない。そこで、本発明は、一般的な家庭用照明器具に好適な導光棒による照明装置を提案することを目的とする。
【課題を解決するための手段】
【０００４】
本発明を要約すると、下記要件(A)〜(C)を備えた照明装置である。
(A) 複数の曲線状の導光棒を光源部ケースで連結して導光リング状とする。
(B) 前記光源部ケースには前記導光棒の端部に光を導入する光源を収めて前記導光棒を発光可能とする。
(C) 前記光源部ケースを照明器具本体からの支持部材で支持するとともに、前記光源部ケース内の光源に給電可能としたリード線を前記支持部材に沿わせて配線する。
【発明の効果】
【０００５】
本発明によれば、照明器具本体により支持され、かつ、照明器具本体側から給電可能とされた導光棒による照明装置が得られ、一般的な家庭用照明器具に目新しい光装飾効果をもたらすものとなる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、下記要件(A)〜(C)を備えた照明装置である。
(A) 複数の曲線状の導光棒１を光源部ケース２で連結して導光リング状とする。
(B) 前記光源部ケース２には前記導光棒１の端部に光を導入する光源３を収めて前記導光棒１を発光可能とする。
(C) 前記光源部ケース２を照明器具本体４からの支持部材５で支持するとともに、前記光源部ケース２内の光源３に給電可能としたリード線６を前記支持部材５に沿わせて配線する。
【０００８】
また、前記導光リング状部は照明器具本体４の下面に設けたグローブ７の外周に配置している。なお、照明器具本体４の下面、すなわちグローブ７の内部には主光源となる蛍光ランプが収められ、その主光源の消灯時などに光源３を点灯させて導光棒１を光らせるとよい。
【０００９】
さらに詳述すれば、導光棒１は透明アクリル樹脂棒などで形成され、表面には細かな凹または凸が多数形成されたり、あるいは多数の点状印刷などが付与されて、導光棒１内を通過してきた光が乱反射されることにより、導光棒１の表面(側面)から露光(発光)される。光源部ケース２は遮光性の樹脂などで形成され、内外の二個一組を互いに固定することで導光棒１を挟んで連結している。光源３は例えば発光ダイオード素子が好適であり、光源部ケース２内に収めた基板８に実装されている。光源部ケース２の背面は支持部材５で支持され、支持部材５の基部は照明器具本体４の上面に固定されている。適当な直流電圧が付与されたリード線６は照明器具本体４の内部から適宜箇所で上面に引き出され、支持部材５の内部または下面を通って光源部ケース２内に導入され、基板８に接続されている。
【００１０】
本実施形態によれば、照明器具本体４により支持され、かつ、照明器具本体４側から給電可能とされた導光棒１による照明装置が得られ、一般的な家庭用照明器具に目新しい光装飾効果をもたらすものとなる。
【図面の簡単な説明】
【００１１】
【図１】本発明の実施形態を示す上面図
【図２】同正面図
【図３】同要部の内部正面図
【図４】同側断面図
【図５】同斜視図
【符号の説明】
【００１２】
１  導光棒
２  光源部ケース
３  光源
４  照明器具本体
５  支持部材
６  リード線
７  グローブ
【図１】
2005158496.tif 000003
【図２】
2005158496.tif 000004
【図３】
2005158496.tif 000005
【図４】
2005158496.tif 000006
【図５】
2005158496.tif 000007
(57)【要約】【課題】両極性パルス電圧を用いてプラズマを生成させるプラズマ生成装置において、両極性パルス電圧を発生させる手段として高圧直流電源、およびインバータ回路を用いる方式では、スイッチング素子などに高耐圧仕様の部品を用いねばならず、装置の大型化、高コストになることが問題であった。【解決手段】充電用直流電源とコンデンサと、１次側に中間タップを有する昇圧用パルストランスと、分割される１次側巻線のそれぞれの端子にそれぞれON-OFF用半導体スイッチを接続し、この１次側巻線とON-OFF用半導体スイッチとコンデンサを共通にした２組の閉回路を構成し、２組の閉回路に流す電流をON-OFF用半導体スイッチで選択制御し、前記パルストランスの２次巻線に両極性パルス電圧を発生させ、２次巻線に接続された対向する電極間にプラズマを生成させる。【選択図】図１
2005158573.tif 000002
【特許請求の範囲】
【請求項１】
充電用直流電源と該直流電源により充電されるコンデンサと、１次側に中間タップを有する昇圧用パルストランスと、該昇圧用パルストランスの中間タップで分割される１次側巻線のそれぞれの端子にそれぞれON-OFF用半導体スイッチを接続し、前記パルストランスの１次側巻線と前記ON-OFF用半導体スイッチと前記コンデンサを共通にした２組の閉回路を構成し、該２組の閉回路に流す電流を前記ON-OFF用半導体スイッチで選択制御し、前記パルストランスの２次巻線に両極性パルス電圧を発生させ、前記パルストランスの２次巻線に接続された対向する電極間にプラズマを生成させることを特徴とするプラズマ生成装置。
【発明の詳細な説明】
【技術分野】
【０００１】
本発明は、両極性パルス電圧を用いてプラズマを生成するプラズマ生成装置に関するものである。
【背景技術】
【０００２】
プラズマは正または負の直流バイアス電圧を印加することで生成できる。しかしこの直流バイアス方式は電極の表面に負又は正の電荷のみが偏るチャージアップ現象が起こり、プラズマ生成が阻害され効率が非常に悪いという弱点がある。その後電圧をパルスで印加する方法が試みられたが電荷の偏りの改善できなかった。特許文献１のプラズマ生成法では高電圧直流電源とスイッチング回路を有するインバータ電源を用いて、電荷を偏らせないように両極性パルスを印加することによってチャージアップ現象を抑制するという方法が開示されている。
【特許文献１】特開平１１−２２４７９５号公報（図２）
【発明の開示】
【発明が解決しようとする課題】
【０００３】
しかしながら、前記の高圧直流電源を有するインバータ電源方式は、直流電源やスイッチング回路をすべて高耐圧化しなければならず、大型化、高コストになる問題があった。
本発明は上記事情に鑑みなされたものであって、その目的とするところは、直流電源やON-OFF用半導体スイッチを高耐圧化する必要のない生成装置、かつ高効率で安定化したプラズマを生成する装置を提供することである。
【課題を解決するための手段】
【０００４】
充電用直流電源と該直流電源により充電されるコンデンサと、１次側に中間タップを有する昇圧用パルストランスと、該昇圧用パルストランスの中間タップで分割される１次側巻線のそれぞれの端子にそれぞれON-OFF用半導体スイッチを接続し、前記パルストランスの１次側巻線と前記ON-OFF用半導体スイッチと前記コンデンサを共通にした２組の閉回路を構成し、該２組の閉回路に流す電流を前記ON-OFF用半導体スイッチで選択制御し、前記パルストランスの２次巻線に両極性パルス電圧を発生させ、前記パルストランス２次巻線に接続された対向する電極間にプラズマを生成させるものである。
【発明の効果】
【０００５】
本発明のプラズマ式ガス処理装置は、両極性パルス電圧を用いてプラズマを生成することでチャージアップ現象を回避でき、効率的にプラズマを生成できるという利点がある。
【発明を実施するための最良の形態】
【０００６】
両極性パルス電圧を発生させチャージアップ現象を回避するという目的を、簡便な方法で実現した。
【実施例１】
【０００７】
図１は、本発明の、昇圧用パルストランスに直流電源とコンデンサ、ON-OFF用半導体スイッチを接続したプラズマ生成装置接続図である。以下、図１について説明する。
【０００８】
直流電源１により充電されるコンデンサ２に昇圧用パルストランス５の中間タップ８が接続されており、１次側端子６と接続された正極性用ON-OFF用半導体スイッチ３をスイッチングすることで正極性のパルス、１次側端子７と接続された負極性用ON-OFF用半導体スイッチ４をスイッチングすることで負極性のパルスを発生させ、昇圧用パルストランス５の巻線比によって昇圧された両極性高電圧パルスを対向する電極９に印加して、プラズマを生成させる。
【産業上の利用可能性】
【０００９】
この方法によれば、低電圧な直流電源、耐圧の低い安価なＯＮ―ＯＦＦ用半導体スイッチで構成できると同時に、かつ高効率で安定したプラズマを生成するプラズマ生成装置が実現できるので、実用上多いに有用である。
【図面の簡単な説明】
【００１０】
【図１】本発明の請求項１の実施例を説明した図である。（実施例１）
【符号の説明】
【００１１】
１      直流電源
２      放電用コンデンサ
３      正極性用ＯＮ―ＯＦＦ用半導体スイッチ
４      負極性用ＯＮ―ＯＦＦ用半導体スイッチ
５      昇圧用パルストランス
６、７  １次側端子
８      中間タップ
９      電極
【図１】
2005158573.tif 000003
(57)【要約】【課題】  芳香剤を含浸したプレートを加熱するのに電気により加熱するヒート板等を使用することなく、パワーアンプ等による発熱を有効利用することを目的とする。【解決手段】  パワーアンプのヒートシンク３を外筺１内の側部に配置し、この外筺１の前面よりこの外筺１内の側部に芳香剤を含浸させたプレート４を挿入する収納部５を設けたものである。【選択図】        図１
2005158160.tif 000002
【特許請求の範囲】
【請求項１】
パワーアンプのヒートシンクを外筺内の側部に配置し、前記外筺の前面より前記外筺内の側部に芳香剤を含浸させたプレートを挿入する収納部を設けたことを特徴とする再生装置。
【発明の詳細な説明】
【技術分野】
【０００１】
本発明は車載用再生装置に適用して好適な再生装置に関す。
【背景技術】
【０００２】
一般に車載用再生装置等の再生装置においては、パワーアンプ等により例えば２００Ｗ程度発熱しており、この発熱を負の存在として捉え、この発熱を効率的に外筺の外部に排出することが行われている。
【０００３】
一方ヒノキの香りやラベンダーの香り等の香りのする芳香剤を例えばベープマット（商品名）の如くボール紙等に含浸させたプレートを、電気により加熱するヒート板上で加熱し、ヒノキの香り、ラベンダーの香り等を発生する如くしている。
【０００４】
また特許文献１には、電熱線が埋め込まれた受け皿に芳香剤を収容し、この電熱線により加熱することにより香りを発生するようにしたものが記載されている。
【特許文献１】特開平９−１１７３６号公報
【発明の開示】
【発明が解決しようとする課題】
【０００５】
ところでパワーアンプ等による発熱を効率的に外筺の外部に排出したときには熱の損失となる不都合がある。
【０００６】
またこの芳香剤を含浸したプレートを電気により加熱するヒート板上で加熱したときには電力損失を生ずる不都合がある。また特許文献１に記載のものにおいても同様である。
【０００７】
本発明は斯る点に鑑み芳香剤を含浸したプレートを加熱するのに電気により加熱するヒート板等を使用することなく、パワーアンプ等による発熱を有効利用することを目的とする。
【課題を解決するための手段】
【０００８】
本発明再生装置はパワーアンプのヒートシンクを外筺内の側部に配置し、この外筺の前面よりこの外筺内の側部に芳香剤を含浸させたプレートを挿入する収納部を設けたものである。
【発明の効果】
【０００９】
本発明によればパワーアンプのヒートシンクを設けた外筺内の側部に前面より芳香剤を含浸させたプレートを挿入する収納部を設けたので、芳香剤を含浸させたプレートをパワーアンプ等の熱で加熱でき、電気により加熱するヒート板等を使用することなく、パワーアンプ等の発熱で加熱され、例えばヒノキの香り、ラベンダーの香り等を前面より発生することができ、パワーアンプ等の発熱を有効利用できる。
【発明を実施するための最良の形態】
【００１０】
以下図面を参照して、本発明再生装置を実施するための最良の形態の例につき説明する。
【００１１】
図面において、１は再生装置の外筺を示し、この外筺１内には、ＣＤプレーヤ、ＡＭ・ＦＭラジオ受信機、之等の制御回路、パワーアンプ等が夫々所定位置に配置されている。
【００１２】
また、２はフロントパネルを示し、このフロントパネル２には、この再生装置の動作を制御する種々の操作子より成る操作部及び所定の表示を行う液晶表示装置等より成る表示装置が設けられている。この場合本例においてはこのフロントパネル２を図１、図２に示す如く、再生装置の外筺１の前方に９０度程度必要に応じ倒すことができ、このフロントパネル２の操作部をこの倒した状態でも操作できる如くする。
【００１３】
本例においては、金属板より成るパワーアンプ等の発熱を放熱するヒートシンク３を図３に示す如く、この再生装置の外筺１内の側部（例えば左側部）に配置する。この場合、このヒートシンク３の長手方向が、この再生装置の外筺１の前面側から後方に向かう如く配置する。
【００１４】
また、本例においては、この再生装置の外筺１の前面よりこの外筺１内の側部に芳香剤を含浸させたプレート４を挿入するプレート収納部５を設ける。
【００１５】
このプレート収納部５は金属板のヒートシンク３上でこのプレート収納部５に芳香剤を含浸させたプレート４を挿入したときに、このプレート４がヒートシンク３に当接する如くする。
【００１６】
この芳香剤を含浸させたプレート４の例としては図１に示す如く所定の大きさのボール紙等にヒノキの香りやラベンダーの香り等種々の香りのする芳香剤を含浸させたものである。
【００１７】
本例は上述の如く構成されているので所望の香りの芳香剤を含浸させたプレート４をプレート収納部５に挿入するときには、図１、図２に示す如くフロントパネル２を倒した状態とし、図２に示す如く、この芳香剤を含浸させたプレート４をこの再生装置のプレート収納部５に挿入し、この状態でこの再生装置を動作させたときはパワーアンプ等の発熱によりヒートシンク３が加熱されると共にこのヒートシンク３により芳香剤を含浸させたプレート４が加熱され、このプレート４が所望の香りをこの再生装置の外筺１の前面側から発生する。
【００１８】
従って、本例による再生装置を車載用再生装置に適用したときには車内を所望の香りとすることができると共に例えば気分に合わせてヒノキの香りやラベンダーの香り等の芳香剤が含浸されたプレートを交換して挿入することができる。
【００１９】
本発明は上述例に限ることなく本発明の要旨を逸脱することなく、その他種々の構成が採り得ることは勿論である。
【図面の簡単な説明】
【００２０】
【図１】本発明再生装置を実施するための最良の形態の例を示す斜視図である。
【図２】図１の芳香剤を含浸したプレートを挿入した状態を示す斜視図である。
【図３】本発明再生装置を実施するための最良の形態の例を示す構成図である。
【符号の説明】
【００２１】
１‥‥外筺、２‥‥フロントパネル、３‥‥ヒートシンク、４‥‥プレート、５‥‥プレート収納部
【図１】
2005158160.tif 000003
【図２】
2005158160.tif 000004
【図３】
2005158160.tif 000005
(57)【要約】【課題】              電子部品の熱を、電子部品を収納するケースから、照明器具本体の壁面を通って外部に放熱しケース内部の温度上昇を低く抑えることができ、またケースを比較的小形に構成しても内部の温度上昇を低く抑えることができる照明器具を提供することを課題とする。【解決手段】        照明器具本体の電気部品取り付面を波状の凹凸面とし、一方電子部品を収納するケースの少なくとも照明器具本体への取り付面を、照明器具本体の波状の凹凸面と相似形状の凹凸面として構成してある。そして照明器具本体の波状の凹凸面にケースの凹凸面を重ね合わせることにより、電子部品の熱を電子部品を収納するケースから、照明器具本体の壁面を通って放熱するように構成してある。【選択図】          図１
2005158312.tif 000002
【特許請求の範囲】
【請求項１】
照明器具本体の電気部品取り付面を波状の凹凸面とし、一方電子部品を収納するケースの少なくとも照明器具本体への取り付面を、照明器具本体の波状の凹凸面と相似形状の凹凸面とし、照明器具本体の波状の凹凸面にケースの凹凸面を重ね合わせることにより、電子部品の熱を電子部品を収納するケースから、照明器具本体の壁面を通って放熱するように構成したことを特徴とする照明器具。
【請求項２】
電子部品を収納するケースの少なくとも照明器具への取り付面を、波状の凹凸面に構成し、同凹凸面を照明器具本体の壁面に接触して構成したことを特徴とする請求項１記載の照明器具。
【発明の詳細な説明】
【技術分野】
【０００１】
本発明は照明器具の改良に関し、特に電気部品より発生する熱を照明器具本体の壁面を通して良好に放熱する構造に関する。
【背景技術】
【０００２】
従来、照明器具に支持して実施する電気部品、例えば電子安定器は、内部に塵埃が入り、電子部品に付着しないようにケースの内部に収納されている。
【０００３】
【特許文献１】特開平１１ー２８８６１９
【発明の開示】
【発明が解決しようとする課題】
【０００４】
ところで、電子安定器を収納するケースの内容積が大きい場合は、電子部品の発熱により、ケース内部の許容温度を低く維持することができる。しかしケースを小さく構成すると、ケースの内部温度が許容温度を超えてしまうことがある。
【０００５】
本発明は、電子部品を収納するケースを比較的小さく構成してもケースの内部の温度が上昇することがない電子部品を収納してなる照明器具を提供することを目的とする。
【課題を解決するための手段】
【０００６】
本発明は上記課題を解決するために、請求項１に記載の発明は、照明器具本体の電気部品取り付面を波状の凹凸面とし、一方電子部品を収納するケースの少なくとも照明器具への取り付面を、照明器具本体の波状の凹凸面と相似形状の凹凸面として構成してある。
そして照明器具本体の波状の凹凸面にケースの凹凸面を重ね合わせることにより、電子部品の熱を電子部品を収納するケースから、照明器具本体の壁面を通って放熱するように構成してある。
【０００７】
請求項１に記載の発明によると、照明器具本体の波状の凹凸面にケースの凹凸面を重ね合わせて構成してあるので、電子部品の熱を、電子部品を収納するケースから、照明器具本体の壁面を通って外部に放熱することができ、ケースを比較的小形に構成しても、ケースの内部の温度上昇を低く抑えることができる。
【０００８】
請求項２に記載の発明は、請求項１に記載の電子部品を収納するケースの少なくとも照明器具への取付面を波状の凹凸面とし、同凹凸面を照明器具本体の壁面に接触して構成してある。
【０００９】
請求項２に記載の発明によると、表面積は拡大し、放熱効果は増大する。
【発明の効果】
【００１０】
上記した請求項１及び請求項２に記載の発明によると、電子部品の熱を、電子部品を収納するケースから、照明器具本体の壁面を通って外部に放熱することができケース内部の温度上昇を低く抑えることができる特別に効果がある。またケースを比較的小形に構成しても内部の温度上昇を低く抑えることができる効果がある。
【発明を実施するための最良の形態】
【００１１】
以下本発明を実施するめの最良の形態について説明する。
【実施例１】
【００１２】
以下本発明を図１について説明する。図１において、１は長尺状の照明器具本体であって、例えば４０ワットの直管形蛍光ランプ２を装着する。３は照明器具本体１の両端に配置してなるソケット、４は照明器具本体１に支持する例えば断面Ｖ字形の反射板である。
１０は照明器具本体１の電気部品取付面に構成してなる波状の凹凸面である。同凹凸面１０は例えば複数のＶ字形を連接することにより構成してある。２０は電子部品を収納するケース２１の少なくとも照明器具本体１への取付面に形成した凹凸であって、照明器具の波状の凹凸と相似形状に形成してある。
【００１３】
図１に示す照明器具で、４０ワットの蛍光ランプを装着する場合、照明器具本体１の大きさは例えば縦１２ｃｍ、横１２２ｃｍ、高さ６ｃｍに構成する。また電気部品を収納するケース２１は例えば縦５ｃｍ、横３６ｃｍ、高さ３ｃｍに構成する。
また照明器具本体１の凹凸面１０を形成する大きさは例えば縦６ｃｍ、横３５ｃｍ、高さ０．６ｃｍとし、電気部品を収納するケース電気部品取り付面１１に構成凹凸面１０は、例えば縦５ｃｍ、横３５ｃｍ、高さ０．６ｃｍとする。
【００１４】
照明器具本体と、ケース２１を上記の大きさに構成し、４０ワットの蛍光ランプを装着し点灯すると、コンデンサ部の温度は７５度あった。これに対して照明器具本体と、ケースに凹凸を設けないで、他の条件を同一として点灯すると、コンデンサ部の温度は８０度あった。このように、照明器具本体と、ケースにおける凹凸の有無で、コンデンサ部の低下する温度は５度であるが、コンデンサ等の電気部品にとっては、耐熱温度との関係で、その効果は重要となる。
【００１５】
また図１に示すように、照明器具本体の波状の凹凸面と、ケースの凹凸面とを、同一の曲面とし重なり合うように構成すると、表面積は拡大し、放熱効果は増大する。
【図面の簡単な説明】
【００１６】
【図１】本発明に係る照明器具分解斜視図。
【符号の説明】
【００１７】
１  照明器具本体
２  直管形蛍光ランプ
３  ソケット
４  反射板
１０  凹凸面
２０  凹凸面
２１  ケース
【図１】
2005158312.tif 000003
(57)【要約】【課題】  簡易かつ低コストで歯列矯正している状態を擬似的に体感することができる歯列矯正用試着具を提供する。【解決手段】本発明の歯列矯正用試着具は、切断可能な材料（例えば紙）で作られた本体１と、歯列矯正器具を歯列に装着した状態を本体１に表示した写真又は図を含み、切断した後に使用者（患者）の歯列に合わせて試着する試着部２とを有する。本体１から切り離した試着部２を使用者の歯列に合わせて試着することにより、簡易かつ低コストで歯列矯正している状態を擬似的に体感することができる。【選択図】  図１
2005192882.tif 000002
【特許請求の範囲】
【請求項１】
歯列矯正器具を歯列に装着した状態を表示した写真又は図を含み、使用者の歯列に合わせて試着する試着部を有することを特徴とする歯列矯正試着具。
【請求項２】
切断可能な材料で作られた本体と、
歯列矯正器具を歯列に装着した状態を前記本体に表示した写真又は図を含み、切断した後に使用者の歯列に合わせて試着する試着部と、
を有することを特徴とする歯列矯正用試着具
【請求項３】
前記試着部は、使用者によって把持される把持部をさらに有することを特徴とする請求項１又は２に記載の歯列矯正用試着具。
【請求項４】
前記試着部は、異なる歯列矯正器具の装着状態を前記本体に複数表示していることを特徴とする請求項２又は３に記載の歯列矯正用試着具。
【請求項５】
前記試着部は、矯正後の歯の状態を前記本体に表示した写真又は図を含むことを特徴とする請求項２乃至４のいずれか１つの項に記載の歯列矯正用試着具。
【発明の詳細な説明】
【技術分野】
【０００１】
本発明は、歯列矯正している状態を擬似的に体感するための歯列矯正用試着具に関する。
【背景技術】
【０００２】
一般に、歯列矯正治療においては、歯列矯正用のブラケットやリテーナーなどの歯列矯正器具を患者の歯に装着して行われている。これらの歯列矯正器具は、患者の歯に適宜装着され、この装着された歯列矯正器具間に掛け渡されたアーチワイヤ等を介して歯並びの悪い歯に対して外力を加えて矯正するものとして用いられている。
【０００３】
しかし、いろいろな種類や材質の歯列矯正器具の中から患者自らが選択したいと考える場合があり、その場合、患者が実際に歯列矯正器具を装着する前に、歯列矯正している状態を擬似的に体感するのが好ましい。
【０００４】
そこで、従来、コンピュータを用いて歯列矯正を診断する装置が知られている（例えば、特表２００１−５２１７７７号公報）。この診断装置によれば、患者がコンピュータのディスプレイを見ることにより歯列矯正している状態を擬似的に体感することが可能である。
【０００５】
【特許文献１】特表２００１−５２１７７７号公報
【発明の開示】
【発明が解決しようとする課題】
【０００６】
しかし、従来の診断装置では、歯列矯正用のデータやプログラムを格納するコンピュータ等を必要とするので、装置が大掛かりになり、コストもかかるという課題があった。
【０００７】
本発明は、上記課題を解決するためになされたものであり、簡易かつ低コストで歯列矯正している状態を擬似的に体感することができる歯列矯正用試着具を提供することを目的とする。
【課題を解決するための手段】
【０００８】
本発明の第１の歯列矯正試着具は、歯列矯正器具を歯列に装着した状態を表示した写真又は図を含み、使用者の歯列に合わせて試着する試着部を有することを特徴とするものである。
【０００９】
本発明の第２の歯列矯正試着具は、切断可能な材料で作られた本体と、歯列矯正器具を歯列に装着した状態を前記本体に表示した写真又は図を含み、切断した後に使用者の歯列に合わせて試着する試着部とを有することを特徴とするものである。
【００１０】
前記試着部は、使用者によって把持される把持部をさらに有してもよい。
【００１１】
前記試着部は、異なる歯列矯正器具の装着状態を前記本体に複数表示していてもよい。
【００１２】
前記試着部は、矯正後の歯の状態を前記本体に表示した写真又は図を含んでいてもよい。
【発明を実施するための最良の形態】
【００１３】
以下、本発明の実施例について図面を参照して説明する。図１は、本発明の実施例に係る歯列矯正用試着具を示す平面図である。
【００１４】
図１に示すように、本発明の実施例に係る歯列矯正用試着具は、切断可能な材料（例えば紙）で作られた本体１と、歯列矯正器具を歯列に装着した状態を本体１に表示した写真又は図を含み、切断した後に使用者（患者）の歯列に合わせて試着する試着部２とを有する。
【００１５】
試着部２は、使用者によって把持される把持部３をさらに有するのが好ましい。また、試着部２は、異なる種類や材料の歯列矯正器具の装着状態を本体１に複数表示していると、使用者の希望に合った歯列矯正器具を選択できるので好ましい。
【００１６】
本体１には、セラミック・プラスチック製ブラケットを歯列に装着した状態を表示した試着部２ａ、メタル製ブラケットを歯列に装着した状態を表示した試着部２ｂ、透明リテーナーを歯列に装着した状態を表示した試着部２ｃ、一般のリテーナーを歯列に装着した状態を表示した試着部２ｄが複数存在する例を示している。
【００１７】
さらに、矯正後の歯の状態を本体１に表示した写真又は図を含む試着部２ｅを有してもよい。
【００１８】
図２（Ａ）は、本発明の実施例に係る歯列矯正用試着具を使用者の歯列に試着する前の状態を示す説明図、（Ｂ）は試着した後の状態を示す説明図である。
【００１９】
まず、使用者が希望する歯列矯正用試着具を表示した試着部２を鋏やカッターなどで切断して、本体１から切り離す（図２（Ａ）参照）。
【００２０】
次いで、使用者の口を横に広げさせ、使用者の歯と試着部２とを合わせる。その際、試着部２に表示されている歯列を使用者の歯列のカーブに合致するように手で軽く曲げると見やすくなる。
【００２１】
次いで、使用者の唇Ｋを試着部２の縁まで軽く閉じる（図２（Ｂ）参照）。
【００２２】
これによって、鏡で試着部２を見ることにより、歯列矯正している状態を擬似的に体感することができる。
【００２３】
本発明によれば、本体１から切り離した試着部２を使用者の歯列に合わせて試着することにより、簡易かつ低コストで歯列矯正している状態を擬似的に体感することができる。
【００２４】
本発明は、上記実施の形態に限定されることはなく、特許請求の範囲に記載された技術的事項の範囲内において、種々の変更が可能である。  
例えば、鋏やカッターを用いずに試着部２を本体１から容易に切断できるように、あらかじめ試着部２の周縁に切り込みを入れてもよい。
【００２５】
また、本体１に試着部２が表示されている例を示したが、これに限定されず、試着部２自体で本発明が構成され、単独で使用される。
【００２６】
さらに、図１に示した試着部２は例示であり、これに限定されるものではない。
【図面の簡単な説明】
【００２７】
【図１】本発明の実施例に係る歯列矯正用試着具を示す平面図である。
【００２８】
【図２】（Ａ）は、本発明の実施例に係る歯列矯正用試着具を使用者の歯列に試着する前の状態を示す説明図、（Ｂ）は試着した後の状態を示す説明図である。
【符号の説明】
【００２９】
１：本体
２：試着部
３：把持部
Ｋ：使用者の唇
【図１】
2005192882.tif 000003
【図２】
2005192882.tif 000004
(57)【要約】【課題】  クラブヘッドの温度が低下することにより、フエースの反発係数が低下する。【解決手段】  使い捨てカイロを装着したヘッドカバーによってゴルフクラブヘッドを加温することにより、フエースの反発係数が増大する。【選択図】      図１
2005192886.tif 000002
【特許請求の範囲】
【請求項１】
ゴルフクラブヘッドを加温することによりフエースの反発係数を増大させ、ゴルフボールの飛距離を増すため、使い捨てカイロを装着したヘッドカバー。
【発明の詳細な説明】
【技術分野】
【０００１】
本発明は、ゴルフボールの飛距離を増すゴルフクラブヘッドカバーに関するものである。
【背景技術】
【０００２】
使い捨てカイロを装着したヘッドカバーによってゴルフクラブヘッドを加温することによりフエースの反発係数が増大する。
【発明の開示】
【発明の効果】
【０００３】
本発明のゴルフクラブヘッドカバーはゴルフボールの飛距離を増すためのものである。
【実施例１】
【０００４】
図１は、本発明装置の１実施例断面図であって、使い捨てカイロを装着したゴルフクラブヘッドカバーである。
【図面の簡単な説明】
【０００５】
【図１】使い捨てカイロの装着例を示した説明図である。
【符号の説明】
【０００６】
１  使い捨てカイロ
【図１】
2005192886.tif 000003
(57)【要約】【課題】  端末金具等の部品を別個に用いることなく金属製ボールチェーンの端末球を加工してこれを端末金具に使用することを目的とする。【解決手段】  装身具用の金属製ボールチェーンの端末球を圧漬してなる円板状部を端末金具としたことを特徴とする金属製ボールチェーンの端末金具。【選択図】  図４
2005192838.tif 000002
【特許請求の範囲】
【請求項１】
装身具用の金属製ボールチェーンの端末球を圧漬してなる円板状部を端末金具としたことを特徴とする金属製ボールチェーンの端末金具。
【請求項２】
金属製ボールチェーンの端末球を加熱溶融して実球としこれを平らに潰し円板状部とした請求項１記載の金属製ボールチェーンの端末金具。
【請求項３】
円板状部のほぼ中央に貫通孔をあけた請求項１または２記載の金属製ボールチェーンの端末金具。
【請求項４】
請求項１から３までのいずれか１項記載の端末金具を備えた金属製ボールチェーン装身具。
【請求項５】
装身具用の金属製ボールチェーンの端末球を加熱溶融して実球としこれを平らに潰して円板状部とし、この円板状部のほぼ中央部に貫通孔をあけることを特徴とする装身具用端末金具の製造方法。
【請求項６】
金属製ボールチェーンの端末球を加工し、これを端末金具として使用する請求項５記載の装身具用端末金具の製造方法。
【発明の詳細な説明】
【技術分野】
【０００１】
本発明は装身具用金属製ボールチェーンの端末金具に関する。
【背景技術】
【０００２】
従来装身具用金属製ボールチェーンに留金具等の部品を取付ける際、この金属製ボールチェーンに一々端末金具を取付けていた。
【０００３】
【特許文献１】特開２０００−３００３１６
【発明の開示】
【発明が解決しようとする課題】
【０００４】
端末金具等の部品を別個に用いることなく金属製ボールチェーンの端末球を加工してこれを端末金具に使用することを目的とする。
【課題を解決するための手段】
【０００５】
本発明は装身具用の金属製ボールチェーンの端末球を圧漬してなる円板状部を端末金具としたことを特徴とする金属製ボールチェーンの端末金具に係わる。
上記において金属製ボールチェーンの端末球を加熱溶融して実球としこれを平らに潰し円板状部とした構成および円板状部のほぼ中央に貫通孔をあけた構成を採ることができる。
【０００６】
また本発明は前記の端末金具を備えた金属製ボールチェーン装身具に係わる。
【０００７】
また本発明は装身具用の金属製ボールチェーンの端末球を加熱溶融して実球としこれを平らに潰して円板状部とし、この円板状部のほぼ中央部に貫通孔をあけることを特徴とする装身具用端末金具の製造方法に係わる。
上記において金属製ボールチェーンの端末球を加工し、これを端末金具として使用する構成を含んでいる。
【発明の効果】
【０００８】
装身具用ボールチェーン自体の端末球を利用してこれを加工することにより装身具用端末金具として使用するので、端末金具等の部品を別個に必要とせず、またその取付加工も不要となるので、装身具としての製作過程の省力化が計られ、また低コストで供給できるという利点を有する。
【発明を実施するための最良の形態】
【０００９】
以下に本発明を図面に示す実施例によって説明するが、本発明はこれのみに制約されるものではない。
【実施例１】
【００１０】
図１および図２は本発明の適用されるボールチェーンの正面図および側面図を示し、このボールチェーン（１）は図３の部分断面図に示すように両端に連結用の頭部（２）を形成した対の接続芯（３）の頭部（２）が、上下両端に形成した貫通孔（４）に夫々係合するようにボール（５）で合わせ抱き込むようにしてボール（５）と接続芯（３）が順次連結されて一連のボールチェーン（１）に構成される。その製造プロセスは公知の手法によって行われる。
【００１１】
以下のステンレス製ボールチェーンを用いて図４および図５（図６）の手順で金属製ボールチェーンの端末加工を行った。
実施例にて用いたボールチェーン（１）のボール（５）の寸法は外径２．３ｍｍ，肉厚０．２３ｍｍ，貫通孔径φ０．６５〜０．６８ｍｍであり、また接続芯（３）の寸法は芯径φ０．５ｍｍ，全長２．３ｍｍ，頭部寸法径φ１．１ｍｍ，幅（厚み）０．５ｍｍであった。
【００１２】
図３に示す上記ボールチェーン（１）の端末球（５−ｔ）を加熱溶融し図４に示すようにφ１．９ｍｍの実球（６）にした。
この実球（６）をハンドプレスで厚さ０．７２ｍｍ，径約φ２．５ｍｍに平らな円板状に潰した。
【００１３】
次に図５および図６に示すように円板状部分（７）のほぼ中央にφ１ｍｍの貫通孔（８）をあけ、留金具等の部品を取付けられるようにした。
【図面の簡単な説明】
【００１４】
【図１】本発明に用いるボールチェーンの正面図である。
【図２】同上の側面図である。
【図３】上記ボールチェーンの部分断面図である。
【図４】端末実球部分の断面図である。
【図５】上記端末実球部分の加工例を示す正面図である。
【図６】同上の側面図である。
【符号の説明】
【００１５】
１……ボールチェーン
２……連結用頭部
３……接続芯
４……貫通孔
５……ボール
５−ｔ……端末球
６……実球
７……円板状部分
８……貫通孔
【図１】
2005192838.tif 000003
【図２】
2005192838.tif 000004
【図３】
2005192838.tif 000005
【図４】
2005192838.tif 000006
【図５】
2005192838.tif 000007
【図６】
2005192838.tif 000008